(57)【要約】【課題】製品の滑りを防いで梱包や開梱を作業性良く行う行うことができる保護部材を提供すること。【解決手段】内部に製品Ｗを収容してこれを保護する筒状の保護部材１において、その長手方向中間下部に、前記製品Ｗの一部が露出する開口部２を形成する。又、前記開口部２の長手方向寸法Ｌを作業者の手が入る程度の値に設定する。本発明によれば、保護部材１の長手方向中間下部に形成された開口部２から製品Ｗの一部が露出するため、その露出した製品Ｗの一部が作業者の手で受けられ、手との摩擦によって製品Ｗが保護部材１から滑って抜け出ることがなく、製品Ｗの梱包や開梱を作業性良く行うことができる。【選択図】図１
2008114897.tif 000002
【特許請求の範囲】
【請求項１】
内部に製品を収容してこれを保護する筒状の保護部材において、
その長手方向中間下部に、前記製品の一部が露出する開口部を形成したことを特徴とする保護部材。
【請求項２】
前記開口部の長手方向寸法を作業者の手が入る程度の値に設定したことを特徴とする請求項１記載の保護部材。
【発明の詳細な説明】
【技術分野】
【０００１】
本発明は、内部に製品を収容してこれを保護する筒状の保護部材に関するものである。
【背景技術】
【０００２】
例えば、複写機等の画像形成装置に装備される感光ドラムや帯電ローラ等の製品は、その表面に手が触れないように保護部材によって覆われた状態で梱包されて輸送される。ここで、保護部材は、例えばＰＥＴ等の透明な樹脂フィルムを折り曲げて角筒状に成形され、その内部に製品が収容される。
【特許文献１】特開平４−１０９０８１号公報
【特許文献２】実開平５−０２２３６６号公報
【発明の開示】
【発明が解決しようとする課題】
【０００３】
しかしながら、従来の保護部材によって保護された製品は、梱包作業時や開梱作業時に保護部材から滑って抜け出る可能性があり、その作業には細心の注意を払う必要があり、作業性が悪いという問題があった。
【０００４】
本発明は上記問題に鑑みてなされたもので、その目的とする処は、製品の滑りを防いで梱包や開梱を作業性良く行うことができる保護部材を提供することにある。
【課題を解決するための手段】
【０００５】
上記目的を達成するため、請求項１記載の発明は、内部に製品を収容してこれを保護する筒状の保護部材において、その長手方向中間下部に、前記製品の一部が露出する開口部を形成したことを特徴とする。
【０００６】
請求項２記載の発明は、請求項１記載の発明において、前記開口部の長手方向寸法を作業者の手が入る程度の値に設定したことを特徴とする。
【発明の効果】
【０００７】
請求項１記載の発明によれば、保護部材の長手方向中間下部に形成された開口部から製品の一部が露出するため、その露出した製品の一部が作業者の手で受けられ、手との摩擦によって製品が保護部材から滑って抜け出ることがなく、製品の梱包や開梱を作業性良く行うことができる。
【０００８】
請求項２記載の発明によれば、保護部材の長手方向中間下部に作業者の手が入る程度の大きさの開口部を形成したため、作業者はこの開口部から製品の一部を把持して製品の滑りを確実に防ぐことができるとともに、保護部材に必要最小限の大きさの開口部を形成することによって保護部材に本来の保護機能を確保することができる。
【発明を実施するための最良の形態】
【０００９】
以下に本発明の実施の形態を添付図面に基づいて説明する。
【００１０】
図１は本発明に係る保護部材の斜視図、図２は同保護部材の正面図、図３は同保護部材の平面図、図４は同保護部材の側面図、図５は同保護部材の展開図、図６は同保護部材の使用形態を示す斜視図である。
【００１１】
本発明に係る保護部材１は、ＰＥＴ等の透明な樹脂フィルムを折り曲げて角筒状に成形されており、その内部には例えば帯電ローラ等の細長い製品Ｗ（図２参照）がその表面に手が触れないように収納され、製品Ｗは保護部材によって覆われた状態で不図示の梱包箱に梱包されて輸送される。
【００１２】
ところで、保護部材１の長手方向中間下部には、前記製品Ｗの一部が露出する矩形の開口部２が形成されており、その上方の長手方向中間上部には係止部３が設けられている。ここで、開口部２の長手方向寸法Ｌは、作業者の手が入る程度の値に設定され、開口部２は保護部材１の底面１ａの他、相対向する正面１ｂと裏面１ｃに高さｈまで開口している。
【００１３】
この保護部材１は、図５に示す形状に切り込まれた樹脂フィルムの斜線部分ａ，ｂを図示の形状に切り取り、破線部分で折り曲げ、上面を形成する２面１ｄ，１ｅを重ね合わせて両者を係止部３で結合することによって、図１〜図４に示すように角筒状に成形され、その長手方向中間下部に開口部２が形成される。尚、図５に示す斜線部分ａに示す孔部分が開口部２を構成し、斜線部分ｂにて示す孔部分が係止部３の係止孔３ａを形成する。
【００１４】
ここで、係止部３について説明する。
【００１５】
図５に示すように、保護部材１の上面を形成する面１の長手方向中央部に切り込みｃを入れて破線部分で折り曲げることによって台形の係止片３ｂが形成され、この係止片３ｂと前記係止孔３ａとで係止部３が構成されており、係止孔３ａの一部には作業者が指を入れるための半円孔３ａ−１が形成されている。
【００１６】
而して、前述のように図５に示す樹脂フィルムを前述のように破線部分で折り曲げ、上面を形成する２面１ｄ，１ｅを重ね合わせて係止部３の係止片３ｂを係止孔３ａに差し込んでその両辺部を係止孔３ａの係止爪３ａ−２に係止させることによって、２面１ｄ，１ｅが係止部３によって結合され、図１〜図４に示すような角筒状の保護部材１が組み立てられる。
【００１７】
以上のように構成された保護部材１内に収容されて保護された製品Ｗは、保護部材１と共に不図示の梱包箱内に梱包されて輸送され、開梱時には保護部材１と共に梱包箱から取り出されるが、このとき、作業者は、図６に示すように、保護部材１の長手方向下部に形成された開口部２に片手を当て、その開口部２に露出する製品Ｗの一部を下方から支える。従って、製品Ｗは、作業者の手との摩擦によって保護部材１から滑って抜け出ることがなく、製品Ｗの梱包や開梱を作業性良く行うことができる。この場合、保護部材１の長手方向中間下部に作業者の手が入る程度の大きさの開口部２を形成したため、作業者はこの開口部２から製品Ｗの一部を把持して製品Ｗの滑りを確実に防ぐことができるとともに、保護部材１に必要最小限の大きさの開口部２を形成することによって保護部材１に本来の保護機能を確保することができる。
【００１８】
尚、以上は保護部材１として角筒状のものを使用した形態について説明したが、保護部材１としては、図７に示すような円筒状のもの、或は図８に示す三角筒状のもの等、任意のものを使用することができるが、何れにおいてもその長手方向中央部には開口部２が形成されている。
【図面の簡単な説明】
【００１９】
【図１】本発明に係る保護部材の斜視図である。
【図２】本発明に係る保護部材の正面図である。
【図３】本発明に係る保護部材の平面図である。
【図４】本発明に係る保護部材の側面図である。
【図５】本発明に係る保護部材の展開図である。
【図６】本発明に係る保護部材の使用形態を示す斜視図である。
【図７】本発明の別形態１に係る保護部材の斜視図である。
【図８】本発明の別形態２に係る保護部材の斜視図である。
【符号の説明】
【００２０】
１          保護部材
１ａ        保護部材の底面
１ｂ        保護部材の正面
１ｃ        保護部材の裏面
１ｄ，１ｅ  保護部材の上面
２          保護部材の開口部
３          保護部材の係止部
３ａ        係止部の係止孔
３ａ−１    係止孔の半円孔
３ａ−２    係止孔の係止爪
３ｂ        係止片
Ｗ          製品
【図１】
2008114897.tif 000003
【図２】
2008114897.tif 000004
【図３】
2008114897.tif 000005
【図４】
2008114897.tif 000006
【図５】
2008114897.tif 000007
【図６】
2008114897.tif 000008
【図７】
2008114897.tif 000009
【図８】
2008114897.tif 000010